(57)【要約】      （修正有）【課題】利用者が手を掛けることができるハンドルを備えた点滴スタンドにおいて、利用者と点滴スタンドとの相対位置に関わらず、ハンドルや点滴スタンド全体を水平回転させる手間を必要とすることなくハンドルに手を掛けることができる構成を実現する。【解決手段】移動可能な脚ベース１に支柱２を支持させ、その支柱２に輸液パックＰを掛けるための輸液パック保持部である輸液フック３及び手を掛けることができるハンドル４を設けてなる点滴スタンドＳにおいて、前記ハンドル４が、支柱２を囲う環状のハンドル本体４１と、このハンドル本体４１を支柱２に支持させるためのボス部４２とを備えてなり、前記ハンドル本体４１の内周面側に略全周に亘って連続した環状空間を形成している構成を採用する。【選択図】図１
2013017655.tif 000002
【特許請求の範囲】
【請求項１】
移動可能な脚ベースに支柱を支持させ、その支柱に輸液パックを掛けるための輸液パック保持部及び手を掛けることができるハンドルを設けてなる点滴スタンドであって、
前記ハンドルが、支柱を囲う環状のハンドル本体と、このハンドル本体を支柱に支持させるためのボス部とを備えてなり、前記ハンドル本体の内周面側に略全周に亘って連続した環状空間を形成していることを特徴とする点滴スタンド。
【請求項２】
前記ハンドル本体の内周面、上面及び外周面が略全周に亘って連続している請求項１記載の点滴スタンド。
【請求項３】
前記ハンドル本体の内周面、上面及び外周面が全周に亘って途切れることなく連続している請求項１又は２記載の点滴スタンド。
【請求項４】
前記ハンドル本体が、環状をなす持ち手部と、この持ち手部の下面と前記ボス部とを連結する連結部とを備えたものである請求項１、２又は３記載の点滴スタンド。
【請求項５】
前記ハンドル本体が、その上面が略水平となるように前記支柱に取り付けられている請求項１、２、３又は４記載の点滴スタンド。
【請求項６】
ハンドル本体が、長軸を左右方向に向けて支柱に取り付けられた楕円形状をなす持ち手部を備えたものであり、前記ボス部が平面視において前記持ち手部の中心に位置させたものである請求項１、２、３、４又は５記載の点滴スタンド。
【発明の詳細な説明】
【技術分野】
【０００１】
本発明は、病院等に用いられるものであって、移動可能な脚ベースに支柱を支持させ、その支柱に輸液パックを掛けるための輸液パック保持部及び手を掛けることができるハンドルを設けてなる点滴スタンドに関する。
【背景技術】
【０００２】
従来より、病院内や診療所内において、点滴を受けている間でも病院内や診療所内を移動することができるようにするための点滴スタンドに対する要望が存在する。この要望に対応すべく、移動可能な脚ベースに支柱を支持させ、その支柱に手を掛けることができるハンドルを設けてなる点滴スタンドが用いられてきている。
【０００３】
このような点滴スタンドのハンドルとして、利用者が手を掛けることができるハンドル本体と、このハンドル本体を支柱に支持させるためのボス部とを備えている構成が広く知られているが、従来のものは支柱に対して特定の方向にのみハンドル本体が存在する（例えば、特許文献１を参照）。
【０００４】
ところが、このような構成の点滴スタンドを利用する際にハンドル本体に手を掛けるには、利用者と支柱との間にハンドル本体が位置するようにハンドル本体又は点滴スタンド全体を水平回転させるか、利用者と支柱との間にハンドル本体が配される位置に利用者が移動する必要があり、利用者が不便に感じる不具合が発生しうる。
【先行技術文献】
【特許文献】
【０００５】
【特許文献１】特開２００３−１３５５４４号公報
【発明の概要】
【発明が解決しようとする課題】
【０００６】
本発明は以上の点に着目し、利用者が手を掛けることができるハンドルを備えた点滴スタンドにおいて、利用者と点滴スタンドとの相対位置に関わらず、ハンドルや点滴スタンド全体を水平回転させる手間を必要とすることなくハンドルに手を掛けることができる構成を実現することを目的とする。
【課題を解決するための手段】
【０００７】
すなわち本発明に係る点滴スタンドは、移動可能な脚ベースに支柱を支持させ、その支柱に輸液パックを掛けるための輸液パック保持部及び手を掛けることができるハンドルを設けてなる点滴スタンドであって、前記ハンドルが、支柱を囲う環状のハンドル本体と、このハンドル本体を支柱に支持させるためのボス部とを備えてなり、前記ハンドル本体の内周面側に略全周に亘って連続した環状空間を形成していることを特徴とする。
【０００８】
このようなものであれば、ハンドル本体の内周面側に略全周に亘って連続した環状空間が形成されているので、利用者が点滴スタンド近傍のどの位置に起立した場合であってもこの環状空間に手を入れてハンドルに手を掛けることができる。
【０００９】
なお、本発明において、「略全周に亘って連続した環状空間」とは、３６０度完全に連続している空間のみならず、一部途切れている環状の空間であってもよい。なお、一部途切れている場合、１８０度以上連続している空間が望ましい。
【００１０】
利用者が点滴スタンド近傍のどの位置に起立した場合であってもハンドル本体を上方から把持できるようにするための望ましい態様の一例として、前記ハンドル本体の内周面、上面及び外周面が略全周に亘って連続しているものが挙げられる。なお、本発明において、「ハンドル本体の内周面、上面及び外周面が略全周に亘って連続している」とは、３６０度完全に連続しているものに限らず、一部途切れているものであってもよい。なお、一部途切れている場合、１８０度以上連続していることが望ましい。
【００１１】
利用者が点滴スタンド近傍のどの位置に起立した場合であってもハンドル本体を上方から把持できるようにするための望ましい態様の他の一例として、前記ハンドル本体の内周面、上面及び外周面が全周に亘って途切れることなく連続しているものが挙げられる。
【００１２】
利用者が点滴スタンド近傍のどの位置に起立した場合であってもハンドル本体を上方から把持できるようにする構成を実現するための具体的な態様の一例として、前記ハンドル本体が、環状をなす持ち手部と、この持ち手部の下面と前記ボス部とを連結する連結部とを備えたものが挙げられる。
【００１３】
利用者が疲労した場合等にハンドルに体を預けやすくするための具体的な態様の一例として、前記ハンドル本体が、その上面が略水平となるように前記支柱に取り付けられているものが挙げられる。
【００１４】
このような点滴スタンドの形状の具体的な一例として、ハンドル本体が、長軸を左右方向に向けて支柱に取り付けられた楕円形状をなす持ち手部を備えたものであり、前記ボス部が平面視において前記持ち手部の中心に位置させたものが挙げられる。
【発明の効果】
【００１５】
本発明によれば、利用者が手を掛けることができるハンドルを備えた点滴スタンドにおいて、利用者と点滴スタンドとの相対位置に関わらず、ハンドルや点滴スタンド全体を水平回転させる手間を必要とすることなくハンドルに手を掛けることができる構成を実現することができる。
【図面の簡単な説明】
【００１６】
【図１】本発明の一実施形態に係る点滴スタンドを示す全体斜視図。
【図２】同実施形態に係る点滴スタンドを示す正面図。
【図３】同実施形態に係る点滴スタンドを示す左側面図。
【図４】同実施形態に係る点滴スタンドを示す平面図。
【図５】図２におけるＡ−Ａ断面図。
【図６】図２におけるＢ−Ｂ断面図。
【図７】図２における要部を破断して示す図。
【図８】同実施形態に係る輸液フックの取付態様を示す分解斜視図。
【図９】同実施形態に係る点滴スタンドのネスティング態様を示す図。
【図１０】本発明の第１の変形例に係る点滴スタンドを示す背面図。
【図１１】同変形例に係る点滴スタンドを示す左側面図。
【図１２】同変形例に係る点滴スタンドのネスティング態様を示す図。
【図１３】同変形例に係る点滴スタンドのネスティング態様を示す図。
【図１４】本発明の第２の変形例に係る点滴スタンドのハンドルを示す平面図。
【図１５】本発明の第３の変形例に係る点滴スタンドのハンドルを示す平面図。
【発明を実施するための形態】
【００１７】
以下本発明の一実施形態を、図１〜図９を参照して説明する。
【００１８】
この点滴スタンドＳは、図１〜図４に示すように、移動可能な脚ベース１に支柱２を支持させ、その支柱２に輸液パックＰを掛けるための輸液パック保持部である輸液フック３及び左右両側及び前側からそれぞれ把持可能なハンドル４を設けてなる。なお、図２及び図３においては、支柱２を一部省略して示している。
【００１９】
脚ベース１は、図１〜図６に示すように、キャスタ１１と、キャスタ１１を支持する支持部材１２とを具備してなる。支持部材１２は、樹脂により一体に成形されたもので、前記支柱２を支持するための左右方向に延びる中心フレーム１２１と、この中心フレーム１２１の左右両端から前方に延出する前側の２本の脚フレーム１２２と、前記中心フレーム１２１の中間部から後方に延出する後側の２本の脚フレーム１２３とを備えており、平面視略Ｈ字状をなしている。前記中心フレーム１２１の中央には、前記支柱２が立設されている。前記中心フレーム１２１及び前記前側の２本の脚フレーム１２２は、略同一平面上に配置されているとともに、前記後側の２本の脚フレーム１２３は前記中心フレーム１２１の下面１２１ａから略水平に延びるように配置されている。この支持部材１２の高さ寸法ｈ１は、一般的な病室用ベッド下方の隙間に挿入可能な大きさに設定されている。また、この脚ベース１は、前側の左右に隣接する２つのキャスタ１１間の距離ｗ１を前側の左のキャスタ１１に隣接する後側の左のキャスタ１１と前側の右のキャスタ１１に隣接する後側の右のキャスタ１１との間の距離ｗ２よりも大きく設定してある。さらに、この脚ベース１は、前側の左右のキャスタ１１間に前方に開放された前の起立空間１ｓ１が形成され、前側の左のキャスタ１１と後側の左のキャスタ１１との間に左側方及び後方に開放された左の起立空間１ｓ２が形成され、前側の右のキャスタ１１と後側の右のキャスタ１１との間に右側方及び後方に開放された右の起立空間１ｓ３が形成されるように構成されたものである。すなわち、脚フレーム１２２、１２３の先端部１２２ａ、１２３ａ以外の部分が、少なくとも前側の左のキャスタ１１と後側の左のキャスタ１１とを結ぶ直線、前側の右のキャスタ１１と後側の右のキャスタ１１とを結ぶ直線よりも内側に位置している。また、前側の脚フレーム１２２の先端部１２２ａ以外の部分が、前側の左のキャスタ１１と前側の右のキャスタ１１とを結ぶ直線よりも内側に位置している。具体的には、前記脚ベース１は、先端にキャスタ１１を有した４本の脚フレーム１２２、１２３を有し、前側のキャスタ１１を支持する２本の脚フレーム１２２及び後側のキャスタ１１を支持する２本の脚フレーム１２３がそれぞれ平面視において先端側が拡開するハの字状に配されており、前側の脚フレーム１２２の下に同一構造をなす他の点滴スタンドＳの後側の脚フレーム１２３を通過させることが可能な空間が形成されるように構成されている。この構成によって、後述するように複数の点滴スタンドＳをネスティングすることができるようにしてある。前記前の起立空間１ｓ１は、平面視において前方に開放されたもので、この点滴スタンドＳの前側に起立した使用者Ｕが当該点滴スタンドＳを後方に、すなわち使用者Ｕの進行方向に押しながら歩行することが可能な大きさに設定されている。前記左の起立空間１ｓ２は、平面視において左側方及び後方に開放されたもので、この点滴スタンドＳの左側に起立した使用者Ｕが当該点滴スタンドＳを前方に押しながら歩行することが可能な大きさに設定されている。前記右の起立空間１ｓ３は、平面視において右側方及び後方に開放されたもので、この点滴スタンドＳの右側に起立した使用者Ｕが当該点滴スタンドＳを前方に押しながら歩行することが可能な大きさに設定されている。そして、前記支持部材１２を構成する前側の２本の脚フレーム１２２の下に、前記前の起立空間１ｓ１及び前記左右の起立空間１ｓ２、１ｓ３にそれぞれ連通する蹴り込み空間１ｓ４が形成されている。この蹴り込み空間１ｓ４は、正面視、側面視及び背面視において視認可能に開口したもので、その高さ寸法ｈ２は、一般的な体格を有する成人のつま先が歩行中に進入可能な大きさに設定されている。一方、前記キャスタ１１は、双輪タイプのもので、その幅寸法はエレベータと該エレベータの乗り口との間の隙間の幅寸法よりも大きい。具体的には、前記キャスタ１１の幅寸法は３０ｍｍ以上であることが望ましく、本実施形態では６０ｍｍに設定されている。
【００２０】
前記支柱２は、伸縮可能なもので、図１〜図３及び図７に示すように、前記脚ベース１に立設された下部要素２１と、この下部要素２１に上下スライド可能に嵌め合わされ前記輸液フック３を支持する上部要素２２とを備えたものである。前記下部要素２１は、脚ベース１の前記中心フレーム１２１に立設された金属パイプ材製のものである。前記上部要素２２は、前記下部要素２１の内周にスライド可能に嵌合された金属パイプ材製のものである。この上部要素２２を緊締機構２３により前記下部要素２１に対して上下位置変更可能に固定している。この緊締機構２３は、前記輸液フック３よりも下方に位置する部位に設けられている。前記緊締機構２３は、図７に示すように、前記支柱２に設けられた雌ねじ２３１ａを有するフレーム２３１と、このフレーム２３１の雌ねじ２３１ａに螺着された雄ねじ２３２ａを有するグリップ２３２と、前記雄ねじ２３２ａが外部に露出することを防止するカバー２３３とを具備する。換言すれば、前記緊締機構２３は、前記支柱２の下部要素２１の上端部に設けられた雌ねじ２３１ａを有するフレーム２３１と、このフレーム２３１の雌ねじ２３１ａに螺着されその先端で上部要素２２の外周を押し付けることによりこの上部要素２２を前記下部要素２１に固定するための雄ねじ２３２ａを有するグリップ２３２と、前記雄ねじ２３２ａが外部に露出することを防止するカバー２３３とを具備する。前記フレーム２３１は、前記支柱２の下部要素２１の上端部２１ａと、この上端部２１ａに外嵌させた合成樹脂製の外嵌部材２３１ｂとを備えてなるもので、前記下部要素２１の上端部２１ａ及び外嵌部材２３１ｂのいずれか一方に雌ねじ２３１ａを有している。前記グリップ２３２は、前記雄ねじ２３２ａを保持する軸部２３２ｂと、この軸部２３２ｂに回転力を付与するための把持部２３２ｃと、この把持部２３２ｃと前記軸部２３２ｂの外面とを滑らかに連続させる中間部２３２ｄとを備えたものである。すなわちこの中間部２３２ｄは、軸部２３２ｂから把持部２３２ｃに向かって漸次径が増大する曲面形状をなしている。前記カバー２３３は、前記フレーム２３１に設けられ前記グリップ２３２の軸部２３２ｂの外周に相対回転可能に外嵌する筒状のものである。具体的には、このカバー２３３は、前記フレーム２３１の外嵌部材２３１ｂと一体に形成された薄肉円筒体状のもので、このカバー２３３の外周面２３２ａと前記グリップ２３２の中間部２３２ｄの外周面２３２ｄ１とが大きな段差を伴うことなく略連続するように構成されている。そして、この支柱２の上端には、各輸液フック３に掛けられた輸液パックＰ同士が干渉しないように複数の前記輸液フック３が放射状に設けられている。この実施形態においては、４本の前記輸液フック３を着脱自在に取り付けることができるようになっているが、図面では２本の輸液フック３を装着した状態を示している。
【００２１】
前記各輸液フック３は、図１及び図２に示すように、支柱２に設けたフック取付部材５から外方に延出する延出桿３１と、この延出桿３１の延出端部に設けられたフック本体３２とを備えている。これら延出桿３１と前記フック本体３２とは、連続した細長い素材により作られたものであり、同一平面に沿って配置されている。前記フック本体３２は、前記延出桿３１の延出端に連続して設けられ上下方向に延びる上下延出部３２１と、この上下延出部３２１の延出端に連続して設けられ支柱２側に折り返す折り返し部３２２とを具備してなり、その折り返し部３２２の先端３２２ｘと前記延出桿３１との間に形成される開口３ｓが、支柱２側から輸液パックＰを挿脱し得る方向に開放されている。前記上下延出部３２１は、延出桿３１の延出端から下方に垂下するもので、病室で一般的に用いられているカーテンの網目の寸法よりも大きな上下方向寸法ｈ３を有している。前記折り返し部３２２は、上下延出部３２１の延出端に連続して設けられ前記輸液パックＰを掛け止める略Ｕ字状をなす掛け止め部分３２２ａと、この掛け止め部分３２２ａから連続して上方に延びる上向き部分３２２ｂと、この上向き部分３２２ｂの上端に連続して設けられ支柱２に向かって延びる先端部分３２２ｃとを備えたものであり、この先端部分３２２ｃと前記延出桿３１との間に輸液パックＰを挿脱するための開口３ｓが形成されている。前記折り返し部３２２の先端３２２ｘは、支柱２に向けて延出している。すなわち、前記折り返し部３２２の先端部分３２２ｃは、前記延出桿３１と平行である。前記延出桿３１は、図８に示すように、その基端に下方に屈曲して垂下する垂下部３１１を備えている。前記フック取付部材５は、支柱２の上端部に装着されたもので、その上面に、中心ボルト挿通孔５１と、この中心ボルト挿通孔５１の近傍から放射状に形成された複数本の延出桿保持溝５２と、これら各延出桿保持溝５２の基端に連続させて設けられた縦穴５３とが設けられている。前記延出桿３１は、その垂下部３１１を前記縦穴５３に挿入するとともに、その垂下部３１１に連続する基端部３１２を前記延出桿保持溝５２に嵌め合わせることによりフック取付部材５に保持されるようになっている。なお、フック取付部材５の上面には、前記中心ボルト挿通孔５１に対応する中心孔６１と、前記延出桿保持溝５２に対応する保持溝６２とを有したキャップ６が装着されるようになっており、このキャップ６の中心孔６１と前記フック取付部材５の中心ボルト挿通孔５１に挿通させたボルト６３を支柱２の内部に固設した図示しないナットに螺着することにより前記各延出桿３１を前記フック取付部材５に固定するようにしてある。以上のような輸液フック３の下方に、手を掛けることができるハンドル４を設けている。
【００２２】
前記ハンドル４は、図１〜図５に示すように、支柱２を囲う環状のハンドル本体４１と、このハンドル本体４１を支柱２に支持させるためのボス部４２とを備えてなる。このハンドル４は、左右両側及び前側からそれぞれ把持可能であり、このハンドル本体４１の内周面４１ａ側に全周に亘って連続した環状空間を形成している。本実施形態では、前記ハンドル本体４１の内周面４１ａ、上面４１ｂ及び外周面４１ｃが全周に亘って途切れることなく連続している。前記ハンドル本体４１は、環状をなす持ち手部４１１と、この持ち手部４１１の下面４１１ａと前記ボス部４２とを連結する連結部４１２とを備えており、その上面４１ｂが略水平となるように前記支柱２に取り付けられている。前記持ち手部４１１は、平面視において長軸を左右方向に向けて支柱２に取り付けられた楕円形状をなし、その断面形状は手を掛けやすくすべく略円形状に設定されている。前記環状空間は、この持ち手部４１１の内周に沿って環状をなすように連続したものである。前記連結部４１２は、前記持ち手部４１１の左右両端の下面４１１ａからそれぞれ前記ボス部４２に向かい延びる帯状のもので、持ち手部４１１に手を掛けた際に手と干渉しにくい位置に配している。前記ボス部４２は平面視において前記持ち手部４１１の中心に位置されている。このボス部４２は、支柱２に対して上下方向に取付位置を変更可能に取り付けられており、このハンドル４のボス部４２を緊締機構４３により前記支柱２に対して上下位置変更可能に固定している。この緊締機構４３は、前記ハンドル４の持ち手部４１１よりも下方に位置する部位に設けられている。前記緊締機構４３は、前記ハンドル４のボス部４２により構成される雌ねじを有するフレーム４３１と、このフレーム４３１の雌ねじに螺着された雄ねじを有するグリップ４３２と、前記雄ねじが外部に露出することを防止するカバー４３３とを具備する。この緊締機構４３は、前述した支柱２の上部要素２２を下部要素２１に固定するための緊締機構２３に準じた構成をなすものであるため、図示及び詳細な説明は省略する。
【００２３】
そして、この点滴スタンドＳは、図５及び図９を参照しつつ以下に述べるような手順によりネスティング可能である。まず、特定の点滴スタンドＳ（１）のハンドル４と、この特定の点滴スタンドＳ（１）と同一構造をなす他の点滴スタンドＳ（２）のハンドル４との上下方向相対位置を持ち手部４１１の上下方向寸法以上異ならせておく。次いで、特定の点滴スタンドＳ（１）の前方から、この点滴スタンドＳ（１）の中心フレーム１２１に他の点滴スタンドＳ（２）の中心フレーム１２１が平行となるように他の点滴スタンドＳ（２）を接近させる。このとき、特定の点滴スタンドＳ（１）の前側の脚フレーム１２２の下方に形成された蹴り込み空間１ｓ４を他の点滴スタンドＳ（２）の後側の脚フレーム１２３が通過する。そして、特定の点滴スタンドＳ（１）の支柱２に他の点滴スタンドＳ（２）のハンドル４の持ち手部４１１が接近又は当接し、特定の点滴スタンドＳ（１）の前側に他の点滴スタンドＳ（２）をネスティングさせることができる。
【００２４】
なお、以上の実施形態において、前後左右の概念は説明の便宜上用いたものであり、使用者Ｕの使用方向を規定するものではない。
【００２５】
以上に述べたように、本実施形態の点滴スタンドＳの構成によれば、ハンドル本体４１の内周面４１ａ側に全周に亘って連続した環状空間が形成されているので、利用者が前の起立空間１ｓ１、左の起立空間１ｓ２及び右の起立空間１ｓ３のいずれに起立した場合であっても、利用者Ｕがこの環状空間に手を入れてハンドル４に手を掛けることができる。
【００２６】
また、前記ハンドル本体４１の内周面４１ａ、上面４１ｂ及び外周面４１ｃが全周に亘って途切れることなく連続しているので、利用者が前の起立空間１ｓ１、左の起立空間１ｓ２及び右の起立空間１ｓ３のいずれに起立した場合であってもハンドル本体４１を上方から安定して把持することができる。
【００２７】
さらに、前記ハンドル本体４１が、環状をなす持ち手部４１１と、この持ち手部４１１の下面４１１ａと前記ボス部４２とを連結する連結部４１２とを備えているので、利用者Ｕが持ち手部４１１を上方から把持した際に、ボス部４２及び連結部４１２により持ち手部４１１を下方から安定して支持させることができる。
【００２８】
加えて、前記ハンドル本体４１が、その上面４１ｂが略水平となるように前記支柱２に取り付けられているので、利用者Ｕが疲労した場合等にハンドル４に体を預けやすく、更なる利用の便を図ることができる。
【００２９】
そして、ハンドル本体４１が、長軸を左右方向に向けて支柱に取り付けられた楕円形状をなす持ち手部４１１を備えたものであり、前記ボス部４２を平面視において前記持ち手部４１１の中心に位置させているので、特に利用者が前の起立空間１ｓ１に起立した場合に、下腕部全体をハンドル本体４１に載せ置いて利用する際の便を図ることができる。
【００３０】
なお、本発明は以上に述べた実施形態に限らない。
【００３１】
例えば、第１の変形例として、図１０〜図１３に示すような脚ベースＸ１を備えているものが考えられる。図１０〜図１３では、脚ベースＸ１以外の各部位には、上述した実施形態における符号の前にＸを付加した符号を付している。また、図１０〜図１２においては、支柱Ｘ２を一部省略して示している。この脚ベースＸ１は、キャスタＸ１１と、キャスタＸ１１を支持する支持部材Ｘ１２とを具備してなる。支持部材Ｘ１２は、樹脂により一体に成形されたもので、前記支柱Ｘ２を支持するための左右方向に延びる中心フレームＸ１２１と、この中心フレームＸ１２１の左右両端から前方に延出する前側の２本の脚フレームＸ１２２と、前記中心フレームＸ１２１の中間部から後方に延出する後側の２本の脚フレームＸ１２３とを備えており、平面視略Ｈ字状をなしている。前記中心フレームＸ１２１の中央には、前記支柱Ｘ２が立設されている。前記中心フレームＸ１２１及び前記前側の２本の脚フレームＸ１２２は、略同一平面上に配置されている。また、前記後側の２本の脚フレームＸ１２３は、前記中心フレームＸ１２１から後方斜め下方に延びるように配置されたものであり、その基端がこれら中心フレームＸ１２１及び前側の２本の脚フレームＸ１２２と略同一平面上に配置されている。換言すれば、前記後側の２本の脚フレームＸ１２３の先端部Ｘ１２３ａの高さ位置は、前側の２本の脚フレームＸ１２２の先端部Ｘ１２２ａの高さ位置よりも下方に設定されている。そして、この支持部材Ｘ１２の高さ寸法Ｘｈ１は、一般的な病室用ベッド下方の隙間に挿入可能な大きさに設定されている。また、この脚ベースＸ１は、前側の左右に隣接する２つのキャスタＸ１１間の距離Ｘｗ１を前側の左のキャスタＸ１１に隣接する後側の左のキャスタＸ１１と前側の右のキャスタＸ１１に隣接する後側の右のキャスタＸ１１との間の距離Ｘｗ２よりも大きく設定してある。さらに、この脚ベースＸ１は、前側の左右のキャスタＸ１１間に前方に開放された前の起立空間Ｘ１ｓ１が形成され、前側の左のキャスタＸ１１と後側の左のキャスタＸ１１との間に左側方及び後方に開放された左の起立空間Ｘ１ｓ２が形成され、前側の右のキャスタＸ１１と後側の右のキャスタＸ１１との間に右側方及び後方に開放された右の起立空間Ｘ１ｓ３が形成されるように構成されたものである。すなわち、脚フレームＸ１２２、Ｘ１２３の先端部Ｘ１２２ａ、Ｘ１２３ａ以外の部分が、少なくとも前側の左のキャスタＸ１１と後側の左のキャスタＸ１１とを結ぶ直線、前側の右のキャスタＸ１１と後側の右のキャスタＸ１１とを結ぶ直線よりも内側に位置している。また、前側の脚フレームＸ１２２の先端部Ｘ１２２ａ以外の部分が、前側の左のキャスタＸ１１と前側の右のキャスタＸ１１とを結ぶ直線よりも内側に位置している。具体的には、前記脚ベースＸ１は、先端にキャスタＸ１１を有した４本の脚フレームＸ１２２、Ｘ１２３を有する。前側のキャスタＸ１１を支持する２本の脚フレームＸ１２２は平面視において先端側が拡開するハの字状に配されている。後側のキャスタＸ１１を支持する２本の脚フレームＸ１２３は、平面視において先端側がそれぞれ中心フレームＸ１２１の延出方向に対して直交する方向に配されている。換言すれば、後側のキャスタＸ１１を支持する２本の脚フレームＸ１２３は、互いに平行に配されている。前側の脚フレームＸ１２２の下に同一構造をなす他の点滴スタンドＸＳの後側の脚フレームＸ１２３を重ねることが可能な空間が形成されるように構成されている。換言すれば、前後に隣接する点滴スタンドＸＳの後側の脚フレームＸ１２３同士を上下方向に重ねることが可能に構成されている。この構成によって、図１２及び図１３に示すような態様で、本変形例に係る特定の点滴スタンドＸＳ（１）の前方に同一構造をなす他の点滴スタンドＸＳ（２）をネスティングすることができる。前記前の起立空間Ｘ１ｓ１は、平面視において前方に開放されたもので、この点滴スタンドＸＳの前側に起立した使用者が当該点滴スタンドＸＳを後方に、すなわち使用者の進行方向に押しながら歩行することが可能な大きさに設定されている。前記左の起立空間Ｘ１ｓ２は、平面視において左側方及び後方に開放されたもので、この点滴スタンドＸＳの左側に起立した使用者が当該点滴スタンドＸＳを前方に押しながら歩行することが可能な大きさに設定されている。前記右の起立空間Ｘ１ｓ３は、平面視において右側方及び後方に開放されたもので、この点滴スタンドＸＳの右側に起立した使用者が当該点滴スタンドＸＳを前方に押しながら歩行することが可能な大きさに設定されている。そして、前記支持部材Ｘ１２を構成する前側の２本の脚フレームＸ１２２の下に、前記前の起立空間Ｘ１ｓ１及び前記左右の起立空間Ｘ１ｓ２、Ｘ１ｓ３にそれぞれ連通する蹴り込み空間Ｘ１ｓ４が形成されている。この蹴り込み空間Ｘ１ｓ４は、正面視、側面視及び背面視において視認可能に開口したもので、その高さ寸法Ｘｈ２は、一般的な体格を有する成人のつま先が歩行中に進入可能な大きさに設定されている。
【００３２】
本変形例に係る脚ベースＸ１を有する点滴スタンドＸＳの構成によっても、上述した実施形態に係る点滴スタンドＳと同一又はこれに準じた効果を得ることができる。
【００３３】
また、第２の変形例として、図１４に示すように、支柱Ａ２を囲う環状をなすとともに後部に切欠き部Ａ４１ｓを有するハンドル本体Ａ４１と、このハンドル本体Ａ４１を支柱Ａ２に支持させるためのボス部Ａ４２とを備えたハンドルＡ４を有するものが挙げられる。前記ハンドル本体Ａ４１は、前記切欠き部Ａ４１ｓ以外の箇所で支柱Ａ２を囲う一箇所を切り欠いた楕円形状をなす持ち手部Ａ４１１と、この持ち手部Ａ４１１の両端Ａ４１１ｘとボス部Ａ４２とを接続する略Ｕ字状の接続部Ａ４１２を有するハンドルＡ４を備えている。ハンドル本体Ａ４１の内周Ａ４１ａ側の空間は１８０度以上連続しており、ハンドル本体Ａ４１の内周面Ａ４１ａ、上面Ａ４１ｂ及び外周面Ａ４１ｃは切れ目なく連続している。また、前記接続部Ａ４１２は、ボス部Ａ４２の後部に接しボス部と一体をなす被支持部分Ａ４１２ｂと、この被支持部分Ａ４１２ｂの両端と前記持ち手部Ａ４１１の両端Ａ４１１ｘとをそれぞれ接続する対をなす接続桿部分Ａ４１２ａとを備えていて、接続桿部分間Ａ４１２ａの空間を前記切欠き部Ａ４１ｓとしている。そして、この切欠き部Ａ４１ｓ内に支柱Ａ２を位置付けてハンドルＡ４を後方に移動させることにより支柱Ａ２にハンドルＡ４を取り付けることができるようにしている。この変形例に係る点滴スタンドのハンドルＡ４以外の各部位は、上述した実施形態におけるものと同様の構成を有するので、図示及び詳細な説明は省略する。
【００３４】
さらに、第３の変形例として、図１５に示すように、支柱Ｂ２を囲う環状をなすとともに後部に切欠き部Ｂ４１ｓを有するハンドル本体Ｂ４１と、このハンドル本体Ｂ４１を支柱Ｂ２に支持させるためのものであり後部に切欠き部Ｂ４２ｓを有するボス部Ｂ４２とを備えたハンドルＢ４を有するものが挙げられる。前記ハンドル本体Ｂ４１は、前記切欠き部Ｂ４１ｓ以外の箇所で支柱Ｂ２を囲う一箇所を切り欠いた楕円形状をなす持ち手部Ｂ４１１と、この持ち手部Ｂ４１１の下面とボス部Ｂ４２とを接続する帯状の接続部Ｂ４１２を有する。前記ハンドル本体Ｂ４１の内周面Ｂ４１ａ側の空間は１８０度以上連続しており、ハンドル本体Ｂ４１の内周面Ｂ４１ａ、上面Ｂ４１ｂ及び外周面Ｂ４１ｃは前記切欠き部Ｂ４１ｓ以外の箇所では切れ目なく連続している。一方、前記ボス部Ｂ４２は全体が弾性変形可能な素材により形成されたものであり、その内周Ｂ４２ａ側の空間も１８０度以上連続している。このボス部Ｂ４２の切欠き部Ｂ４２ｓは、支柱Ｂ２とハンドル本体Ｂ４１の切欠き部Ｂ４１ｓとの中間に位置させている。そして、ハンドル本体Ｂ４１の切欠き部Ｂ４１ｓ内に支柱Ｂ２を位置付け、ハンドルＢ４を後方に移動させ、ボス部Ｂ４２を弾性変形させてボス部Ｂ４２の切欠き部Ｂ４２ｓ内に支柱Ｂ２を位置付けた状態からさらにハンドルＢ４を後方に移動させることにより、支柱Ｂ２にこのハンドルＢ４を取り付けることができるようにしている。
【００３５】
これらの変形例に係るハンドルＡ４、Ｂ４を有する点滴スタンドの構成によっても、ハンドル本体Ａ４１、Ｂ４１の内周面Ａ４１ａ、Ｂ４１ａ側に、切欠き部Ａ４１ｓ、Ｂ４１ｓを除く全周に亘って１８０度以上連続した環状空間が形成されているので、利用者が前の起立空間１ｓ１、左の起立空間１ｓ２及び右の起立空間１ｓ３のいずれに起立した場合であっても、利用者Ｕがこの環状空間に手を入れてハンドルＡ４、Ｂ４に手を掛けることができる。
【００３６】
さらに、これら第２及び第３の変形例に係るハンドルＡ４、Ｂ４を有する点滴スタンドの構成によれば、ハンドル本体Ａ４１、Ｂ４１の切欠き部Ａ４１ｓ、Ｂ４１ｓ内に支柱Ａ２、Ｂ２を位置付けてハンドルＡ４、Ｂ４を後方に移動させることにより支柱Ａ２、Ｂ２にこのハンドルＢ４を取り付けることができるようにしているので、ハンドルＡ４、Ｂ４の支柱Ａ２、Ｂ２に対する装脱の便を図ることもできる。
【００３７】
加えて、第２の変形例に係るハンドルＡ４は、前記ハンドル本体Ａ４１の内周面Ａ４１ａ、上面Ａ４１ｂ及び外周面Ａ４１ｃが全周に亘って途切れることなく連続しているので、利用者が前の起立空間１ｓ１、左の起立空間１ｓ２及び右の起立空間１ｓ３のいずれに起立した場合であってもハンドル本体Ａ４１を上方から安定して把持することができる。
【００３８】
ここで、第２及び第３の変形例に係るハンドルＡ４、Ｂ４に、上述した実施形態に係るハンドル４に備えた緊締機構４３と同様の構成を有する緊締機構を設け、支柱Ａ２、Ｂ２に対する相対位置を変更可能に取り付けるようにするとなおよい。
【００３９】
さらに、ハンドル本体には、真円形のものや、真円形の一部を切り欠いた形状のものを採用してもよく、さらに、多角形状のものや、多角形の一部を切り欠いた形状のものを採用してもよい。
【００４０】
加えて、上述した実施形態では、ハンドル本体の上面が略水平となるように支柱に取り付けられているが、ハンドル本体の上面が水平面に対して傾斜を有するものであってもよく、また、ハンドル本体の上面と水平面とがなす角度を変更可能に構成してもよい。
【００４１】
そして、ハンドル本体の持ち手部とボス部とを接続するための接続部は、上述した実施形態、第１の変形例及び第３の変形例では持ち手部の下面からボス部に向けて延出しており、上述した第２の変形例では切欠き部の両端から水平に延出しているが、これら以外に、例えば、持ち手部の内側面から支柱に向けて延出し持ち手部とボス部との間の部位に達する水平部分と、この水平部分の延出端からボス部に向けて延出しボス部に近づくにつれ下方に向かう傾斜を有する傾斜部分とを有する構成を採用してもよい。
【００４２】
その他、本発明の趣旨を損ねない範囲で種々に変形してよい。
【符号の説明】
【００４３】
Ｓ、ＸＳ…点滴スタンド
１、Ｘ１…脚ベース
２、Ｘ２、Ａ２、Ｂ２…支柱
３…輸液フック（輸液パック保持部）
４、Ａ４、Ｂ４…ハンドル
４１、Ａ４１、Ｂ４１…ハンドル本体
４１ａ、Ａ４１ａ、Ｂ４１ａ…ハンドル本体の内周面
４１ｂ、Ａ４１ｂ、Ｂ４１ｂ…ハンドル本体の上面
４１ｃ、Ａ４１ｃ、Ｂ４１ｃ…ハンドル本体の外周面
４１１、Ａ４１１、Ｂ４１１…持ち手部
４１１ａ…持ち手部の下面
４１２、Ａ４１２、Ｂ４１２…接続部
４２、Ａ４２、Ｂ４２…ボス部
Ｐ…輸液パック
【図１】
2013017655.tif 000003
【図２】
2013017655.tif 000004
【図３】
2013017655.tif 000005
【図４】
2013017655.tif 000006
【図５】
2013017655.tif 000007
【図６】
2013017655.tif 000008
【図７】
2013017655.tif 000009
【図８】
2013017655.tif 000010
【図９】
2013017655.tif 000011
【図１０】
2013017655.tif 000012
【図１１】
2013017655.tif 000013
【図１２】
2013017655.tif 000014
【図１３】
2013017655.tif 000015
【図１４】
2013017655.tif 000016
【図１５】
2013017655.tif 000017